(57)【要約】  【課題】本発明は、通信カラオケ端末に対して利用者の歌唱に応じた所定の歌唱対応表示をさせる通信カラオケ管理システムに関し、全国的規模または任意集合体毎における所定団体別毎の歌唱力を簡易に比較、評価することを目的とする。  【解決手段】ランキング演算手段２８が、所定の通信カラオケ端末より送られてきた所定の利用者による登録者ＩＤ及び歌唱採点に基づき、都道府県で配属させた団体を登録者ＤＢ３１より特定し、上記歌唱採点を当該特定した都道府県に属する総ての登録者の歌唱採点に含ませて平均値を演算して他の各都道府県の平均値と比較した全団体別の順位を演算し、表示ファイル作成手段２７が、当該団体の順位を含めた全団体別毎のランキングを対応の通信カラオケ端末に表示させるためのランキング表示ファイルを作成する構成とする。  【選択図】  図２
2006011235.tif 000002
【特許請求の範囲】
【請求項１】
利用者による歌唱を採点する歌唱採点手段を備える所定数の通信カラオケ端末と通信ネットワークを介して接続するための通信手段を備える通信カラオケ管理システムであって、
前記通信カラオケ端末の各利用者が登録した際の、少なくとも登録者ＩＤおよび当該登録者の種々の属性情報を当該各利用者毎に格納する第１格納手段と、
予め前記登録者の所定の属性情報に基づき、当該登録者を団体分けする集合体情報が設定され、所定の前記通信カラオケ端末より送られてきた所定の利用者による前記登録者ＩＤおよび歌唱採点に基づいて、上記設定された集合体情報で配属させた団体を前記第１格納手段より特定し、上記送られてきた歌唱採点を当該特定した団体に属する総ての登録者の歌唱採点に含ませて予め定めた比較値とする演算を行うと共に、他の団体の比較値と比較した全団体別の順位を演算するランキング演算手段と、
少なくとも、順位を付された前記全団体の情報を格納し、随時更新される第２格納手段と、
前記登録者ＩＤおよび歌唱採点を送ってきた通信カラオケ端末または前記通信ネットワークに接続された所定の端末に表示させるために、前記第２格納手段に格納された利用者の属する団体の順位を含めたランキング表示ファイルを作成する表示ファイル作成手段と、
を有することを特徴とする通信カラオケ管理システム。
【請求項２】
請求項１記載の通信カラオケ管理システムであって、前記表示ファイル作成手段は、前記登録者が操作する前記通信カラオケ端末または前記通信ネットワークに接続された所定の端末より前記団体別毎のランキング表示が要求されたときに、当該登録者の前記登録者ＩＤの属する団体を前記第１格納手段で特定し、当該特定した団体の順位を含めた前記ランキング表示ファイルを前記第２格納手段より抽出して作成することを特徴とする通信カラオケ管理システム。
【発明の詳細な説明】
【技術分野】
【０００１】
本発明は、所定数の通信カラオケ端末に対して利用者の歌唱に応じた所定の団体別歌唱対応表示をさせる通信カラオケ管理システムに関する。
【背景技術】
【０００２】
近年、通信カラオケの施設が全国的に広がりを見せ、記憶技術や記録技術の発展、また通信技術の発展により利用者に対して種々のサービスを提供することができるようになってきている。例えば、利用者の歌唱に対する歌唱力の判定も通信カラオケの利用を喚起させるサービスとして広がりを見せている。一方で利用者に対して新たなサービスの提供も望まれる。
【０００３】
従来、通信カラオケを利用する利用者に対するサービスして、例えば歌唱力の判定、歌唱力に応じた段位認定やオーディション等がある。そのうち、歌唱力の判定は、カラオケ演奏装置に歌唱力採点機能を付帯させ、カラオケ楽曲の演奏中にマイクから入力される歌唱音声とカラオケ伴奏音楽の主旋律などとを比較し、その音程や発音タイミングの差によって採点するものである。このような歌唱力採点機能を用いて利用者に特定のサービスを提供する形態が以下の特許文献等に開示されている。
【０００４】
【特許文献１】特開平１０−０５５１８４号公報
【０００５】
上記特許文献に開示されている通信カラオケシステムは、カラオケ演奏端末が利用者を特定するための利用者ＩＤを取得して当該利用者ＩＤに対応した採点情報をカラオケホスト装置に送信し、当該ホスト装置において送信されてきた利用者ＩＤおよび採点情報に基づき、月間あるいは年間などの所定期間毎に個人毎の採点ランキングを作成するというものである。
【発明の開示】
【発明が解決しようとする課題】
【０００６】
ところで、上記特許文献に開示されている所定期間毎に採点ランキングを作成する技術は、利用者による通信カラオケシステムの利用を十分に喚起できるものであるが、個人レベルでの歌唱力の比較、評価に止まる。
【０００７】
そこで、本発明は上記課題に鑑みなされたもので、全国的規模または任意集合体毎における所定団体別毎の歌唱力を簡易に比較、評価する通信カラオケ管理システムを提供することを目的とする。
【課題を解決するための手段】
【０００８】
上記課題を解決するために、請求項１の発明では、利用者による歌唱を採点する歌唱採点手段を備える所定数の通信カラオケ端末と通信ネットワークを介して接続するための通信手段を備える通信カラオケ管理システムであって、前記通信カラオケ端末の各利用者が登録した際の、少なくとも登録者ＩＤおよび当該登録者の種々の属性情報を当該各利用者毎に格納する第１格納手段と、予め前記登録者の所定の属性情報に基づき、当該登録者を団体分けする集合体情報が設定され、所定の前記通信カラオケ端末より送られてきた所定の利用者による前記登録者ＩＤおよび歌唱採点に基づいて、上記設定された集合体情報で配属させた団体を前記第１格納手段より特定し、上記送られてきた歌唱採点を当該特定した団体に属する総ての登録者の歌唱採点に含ませて予め定めた比較値とする演算を行うと共に、他の団体の比較値と比較した全団体別の順位を演算するランキング演算手段と、少なくとも、順位を付された前記全団体の情報を格納し、随時更新される第２格納手段と、前記登録者ＩＤおよび歌唱採点を送ってきた通信カラオケ端末に表示させるために、前記第２格納手段に格納された利用者の属する団体の順位を含めたランキング表示ファイルを作成する表示ファイル作成手段と、を有する構成とする。
【０００９】
請求項２の発明では、前記表示ファイル作成手段は、前記登録者が操作する前記通信カラオケ端末または前記通信ネットワークに接続された所定の端末より前記団体別毎のランキング表示が要求されたときに、当該登録者の前記登録者ＩＤの属する団体を前記第１格納手段で特定し、当該特定した団体の順位を含めた前記ランキング表示ファイルを前記第２格納手段より抽出して作成する構成である。
【発明の効果】
【００１０】
本発明によれば、所定の通信カラオケ端末より送られてきた所定の利用者による登録者ＩＤおよび歌唱採点に基づいて、設定された集合体情報で配属させた団体を特定し、送られてきた歌唱採点を当該特定した団体に属する総ての登録者の歌唱採点に含ませて演算した比較値と、他の団体の比較値と比較した全団体別の順位を演算し、当該団体の順位を含めた全団体別毎のランキングを対応の通信カラオケ端末に表示させるためのランキング表示ファイルを作成する構成とすることにより、全国的規模または任意集合体毎における団体別毎の歌唱力のランキングを簡易に比較、評価することができ、利用者に対して新たなサービスを提供することができるものである。
【発明を実施するための最良の形態】
【００１１】
以下、本発明の最良の実施形態を図により説明する。
図１に、本発明に係る通信カラオケ管理サーバのネットワーク接続状況の模式図を示す。通信カラオケ管理システムとしての通信カラオケ管理サーバ１１は、歌唱採点手段を備える所定数の通信カラオケ端末を、登録利用者と共に通信ネットワークを介して管理するシステムとして、一般公衆電話回線やこれを用いたＡＤＳＬあるいはインターネット、さらには、ＬＡＮなどの通信ネットワーク１２上に、必要であればネット接続中継サーバ１３を介して通信自在に接続される。
【００１２】
本実施例では、上記通信ネットワーク１２上には、当該ネットワークに対して通信自在とさせるネット接続中継サーバ１３が介在されて、利用者による歌唱を採点する歌唱採点手段を備える所定数の通信カラオケ端末１４（１４Ａ〜１４Ｎ）、所定数の端末１６およびモバイル端末１７が接続される。当該通信カラオケ端末１４（１４Ａ〜１４Ｎ）には、例えば、各通信カラオケ端末（１４Ａ〜１４Ｎ）で使用されるディスプレイ付きリモコン装置等の遠隔入出力装置１５Ａ〜１５Ｎがそれぞれ備えられる。
【００１３】
上記端末１６としては、例えばネット接続中継サーバ１３に対して電話回線等を使用する有線式の双方向通信可能なテレビジョンやコンピュータ端末等がある。上記モバイル端末１７としては、例えばデータ量を調整する対応のネット接続中継サーバ１３に対して無線方式でアクセス可能な携帯電話、モバイルコンピュータ、双方向通信可能なモバイルテレビジョン等がある。
【００１４】
そこで、図２に本発明に係る通信カラオケ管理サーバのブロック構成図を示すと共に、図３に図２の登録者ＤＢおよび団体別ＤＢに記憶されるデータ内容の一例を示した説明図を示す。図２において、通信カラオケ管理サーバ１１は、適宜、制御手段２１、バス２２、通信手段２３、認証手段２４、ＲＡＭ２５、設定手段２６、ランキング演算手段２７、表示ファイル作成手段２８、ＤＢ管理手段２９、第１格納手段である登録者ＤＢ（データベース）３０および第２格納手段である団体別ＤＢ３１を備える。なお、上記ＤＢ管理手段２９、登録者ＤＢ３０および団体別ＤＢ３１は、当該サーバ内ではなく外部のＤＢサーバまたは外部記憶装置として、全部または個別に設置される構成としてもよい。
【００１５】
ここで、上記登録者ＤＢ３０は、通信カラオケ端末１４（１４Ａ〜１４Ｎ）の各利用者が例えば会員として予め所定事項の登録情報を格納しておくもので、その登録情報には少なくとも登録者ＩＤおよび当該登録者の種々の属性情報が含まれる。例えば、図３（Ａ）に示すように、登録者ＩＤ、氏名、セカンドネーム、パスワード、郵便番号、住所、電話、年齢、性別、血液型、職種が含まれ、適宜、登録者の顔写真等のイメージファイル名が関連づけられている。当該各イメージファイルは、図示しないが、当該登録者ＤＢ３０に設けられたフォルダに格納される。
【００１６】
また、上記団体別ＤＢ３１は、後述のランキング演算手段２７で演算された団体別のランキングの情報を格納するもので、ランキングの順位等によって随時更新されるものである。例えば団体別ＤＢ３１は、図３（Ｂ）に示すように、ログファイル３１Ａおよびランキングファイル３１Ｂが適宜格納される。当該ログファイル３１Ａは上記通信カラオケ端末１４（１４Ａ〜１４Ｎ）の利用毎に、随時、登録者ＩＤ（セカンドネーム）に関連させた団体（ここでは都道府県）、採点された歌唱点、歌唱楽曲の楽曲コードが時間毎に追加されていく情報である。当該ランキングファイル３１Ｂは、例えば、団体別（都道府県）毎に比較値（ここでは平均値とする）、最高点、参加人数が関連づけられ、当該比較値（平均値）による順位が付された情報である。そして、上記登録者ＤＢ３０と共に、情報の更新、閲覧（抽出）が上記ＤＢ管理手段２９で管理されるものである。
【００１７】
上記制御手段２１は、このシステムを統括的に制御するもので、例えば物理的なＣＰＵに制御のためのプログラムが格納され、当該プログラムはＲＡＭ２５等に展開されて実行される。上記通信手段２３は、通信ネットワーク１２上の通信カラオケ端末１４およびその遠隔入出力装置１５、端末１６、モバイル端末１７との間で定められた通信プロトコルによって通信を行うためのもので、当該通信ネットワーク１２の通信方式と整合性をとるための例えば物理的な通信用回路やプラットフォーム等のソフトウエアにより構成される。
【００１８】
上記認証手段２４は、通信カラオケ端末１４（遠隔入出力装置１５）、当該登録者の使用する端末１６およびモバイル端末１７からのアクセス要求で受信した認証データ（登録者ＩＤ、パスワード）と、登録者ＤＢ３０に格納されている登録者ＩＤ、パスワードとを照合して、正規の登録者であるか否かを認証するもので、そのためのプログラムがＲＡＭ２５に展開されて実行される。上記ＲＡＭ２５は、種々のプログラムを展開、実行させるための作業領域としての役割をするものであり、例えば半導体メモリで構成され、仮想的にハードディスク上に構築される場合をも含む概念である。
【００１９】
上記設定手段２６は、当該通信カラオケ管理サーバ１１が登録者ＩＤで管理される当該登録者の属性情報に基づいて予め団体分けを設定するための手段であり、図示しない入力手段等により集合体情報が入力設定されるもので、そのためのプログラムがＲＡＭ２５に展開されて実行される。ここでは、登録者の住所の都道府県を集合体情報とし、当該都道府県を団体として設定した場合を示している。なお、上記都道府県の区市町村別で団体分けしてもよく、また図３（Ａ）に示すように、例えば年齢（年代別）、性別、血液型または職種を集合体情報として団体分けを行ってもよい。
【００２０】
上記ランキング演算手段２７は、少なくとも、上記所定の通信カラオケ端末１４（１４Ａ〜１４Ｎ）より送られてきた所定の利用者による登録者ＩＤおよび歌唱採点に基づいて、上記設定された集合体情報で配属させた団体を登録者ＤＢ３０より特定し、上記送られてきた歌唱採点を当該特定した団体に属する総ての登録者の歌唱採点に含ませて予め定めた比較値（平均値）とする演算を行うと共に、他の団体の比較値（平均値）と比較した全団体別の順位を演算するもので、そのためのプログラムがＲＡＭ２５に展開されて実行される。
【００２１】
上記表示ファイル作成手段２８は、登録者ＩＤおよび歌唱採点を送ってきた対応の通信カラオケ端末１４に表示させるために、上記団体別ＤＢ３１に格納された利用者の属する団体の順位を含めたランキング表示ファイルを作成すると共に、登録者が操作する通信カラオケ端末１４（遠隔入出力装置１５）または上記通信ネットワーク１２に接続された所定の端末１６、モバイル端末１７より団体別毎のランキング表示が要求されたときに、当該登録者の登録者ＩＤの属する団体を登録者ＤＢ３０で特定し、当該特定した団体の順位を含めたランキング表示ファイルを団体別ＤＢ３１より抽出して作成するもので、そのためのプログラムがＲＡＭ２５に展開されて実行される。
【００２２】
ここで、図４に、図１の通信カラオケ端末のブロック構成図を示す。図４に示す通信カラオケ端末１４（１４Ａ〜１４Ｎ）は、少なくとも、利用者による歌唱を採点する歌唱採点手段を備えるものとして、制御手段４１、バス４２、ＲＡＭ４３、記憶手段４４、歌唱採点手段４５、映像出力手段４６、表示手段４７、操作制御手段４８、音声入力手段４９、マイク５０、音楽曲出力手段５１、スピーカ５２、カード読取手段５３、送受信手段５４、送信ファイル作成手段５５、通信手段５６を適宜備える。
【００２３】
上記制御手段４１は、このシステムを統括的に制御するもので、例えば物理的なＣＰＵに制御のためのプログラムが格納され、当該プログラムはＲＡＭ４３等に展開されて実行される。当該ＲＡＭ４３は、種々のプログラムを展開、実行させるための作業領域としての役割をするものであり、例えば半導体メモリで構成され、仮想的にハードディスク上に構築される場合をも含む概念である。
【００２４】
上記記憶手段４４は、例えばハードディスク（ＨＤＤ）等の記憶装置であり、楽曲元データが楽曲コード毎に記憶され、当該楽曲に対応した映像データが記憶されると共に、適宜、登録者ＩＤファイル、採点ログファイルが記憶される。上記歌唱採点手段４５は、例えば採点テーブルを備え、選択された楽曲元データに基づいて音楽曲出力手段５１でデジタル再生された楽曲の主旋律のピッチ基準値と、マイク５２より入力されてくる歌唱データをデジタル変換したデジタル歌唱データから抽出した歌唱ピッチとを上記採点テーブルを参照して比較し、これを例えば１小節ごとの区間毎の比較した結果の得点として例えば平均することにより採点結果とするもので、そのためのプログラムがＲＡＭ４３に展開されて実行される。
【００２５】
上記映像出力手段４６は、遠隔入出力装置１５に種々の表示をさせるための映像を出力すると共に、選択された楽曲コードに対応した映像データを当該楽曲に同期させて表示手段４７に出力するもので、そのためのプログラムがＲＡＭ４３に展開されて実行される。遠隔入出力装置１５はＧＵＩ機能を付帯し、例えば液晶ディスプレイ（ＬＣＤ）とタッチセンサとを積層した入出力用の利用者インタフェイスが搭載され、当該タッチセンサにより楽曲の選択などのデータを入力することができるものである。そして、操作制御手段４８は、当該タッチセンサからの入力データを制御するもので、そのためのプログラムがＲＡＭ４３に展開されて実行される。
【００２６】
上記音声入力手段４９は、マイク５０からのアナログ音声データをＡ／Ｄコンバータ（図示省略）を介してデジタル変換する処理を主体とし、上記音楽曲出力手段５１は、記憶手段４４より選択された楽曲の楽曲元データをデジタル再生してアナログ変換すると共に、上記マイク５０からのデジタル音声データをアナログ変換し、ミキシングしてスピーカ５２に出力する。
【００２７】
上記カード読取手段５３は、登録者である利用者が所持する非接触型のＩＣカード（利用者カード）６１を読み取る装置であり、少なくとも利用者の登録者ＩＤを読み取る。上記送受信手段５４は、遠隔入出力装置１５との間で有線方式ないし無線方式（ブルートゥース機構のピコネット接続方式）を利用してデータ授受を行うためのもので、そのための回路基板およびプログラムを備える。当該遠隔入出力装置１５は当該通信カラオケ端末１４に対して種々の操作および表示が可能であり、上記操作制御手段４８によって当該操作信号が制御される。
【００２８】
上記送信ファイル作成手段５５は、通信カラオケ管理サーバ１１に対して利用者（登録者）に関する所定の情報を送信する際に送信ファイルを作成するもので、そのためのプログラムがＲＡＭ４３に展開されて実行される。上記通信手段５６は、通信ネットワーク１２上の通信カラオケ管理サーバ１１との間で定められた通信プロトコルによって通信を行うためのもので、当該通信ネットワーク１２の通信方式と整合性をとるための例えば物理的な通信用回路やプラットフォーム等のソフトウエアにより構成されるものである。
【００２９】
そこで、図５に図４の通信カラオケ端末における処理フローチャートを示すと共に、図６に通信カラオケ端末上での表示形態の一例の説明図を示す。まず、図５において通信カラオケ端末１４では、利用者が所持するＩＣカード６１がカード読取手段５３にセットされると、当該ＩＣカード６１より登録者ＩＤを読み取り、ＲＡＭ４３等のメモリに一旦記憶する（ステップ（Ｓ）１）。
【００３０】
上記遠隔入出力装置１５には、映像表示手段４６により団体戦に参加するか否かを選択させる表示がなされ、利用者が当該遠隔入出力装置１５から選択がなされる（Ｓ２）。そこで、利用者が、例えば遠隔入出力装置１５より選択、指定した楽曲コードが入力されると、当該楽曲コードに応じた楽曲元データおよび映像データを記憶手段４４より抽出し、映像データに基づいて映像出力手段４６が表示手段４７に表示させると共に、楽曲元データに基づいて音楽曲出力手段５１がスピーカ５２より再生させる（Ｓ３）。
【００３１】
当該楽曲を利用者により歌唱されている際に、歌唱信号が音声入力手段４９を介して歌唱採点手段４５に随時入力されると（Ｓ４）、当該入力される歌唱信号に基づいて歌唱採点手段４５が上述のように順次採点処理を行い（Ｓ５）、歌唱終了後に（Ｓ６）、最終的な採点処理を行う。当該採点処理の採点結果を映像出力手段４６が表示手段４７ないし遠隔入出力装置１５が付帯するＬＣＤ上に表示させる（Ｓ７）。そして、利用者が団体戦への参加を選択していなければ終了し（Ｓ８）、選択されていれば一旦記憶した当該利用者の登録者ＩＤ、歌唱した楽曲コードおよび採点結果に基づいて送信ファイル作成手段５５が送信ファイルを作成して通信カラオケ管理サーバ１１に送信する（Ｓ９）。このとき、表示手段４７ないし遠隔入出力装置１５が付帯するＬＣＤ上では、図６（Ａ）に示すように、歌唱採点と「ランキング処理中」とが映像出力手段４６により表示される。
【００３２】
上記登録者ＩＤ、楽曲コードおよび採点結果の送信ファイルを受信した通信カラオケ管理サーバ１１での処理は、後述の図７で説明するが、当該通信カラオケ管理サーバ１１で作成されたランキング表示ファイルを受信すると（Ｓ１０）、表示手段４７ないし遠隔入出力装置１５が付帯するＬＣＤ上にランキングを表示する（Ｓ１１）。上記ランキング表示の一例が図６（Ｂ）、（Ｃ）に示される（図７で説明する）。
【００３３】
続いて、図７に、図２の通信カラオケ管理システムにおける処理フローチャートを示す。図７において、通信カラオケ管理システムとしての通信カラオケ管理サーバ１１では、まず、通信ネットワーク１２を介して所定の通信カラオケ端末１４より、利用者の登録者ＩＤ、楽曲コードおよび採点結果の送信ファイルを受信する（Ｓ２１）。そこで、ランキング演算手段２７が、登録者ＤＢ３０より当該登録者ＩＤに対応する団体としての都道府県名およびセカンドネームを抽出し、受信した楽曲コードおよび採点結果を含めて団体別ＤＢ３１のログファイル３１Ａに記録し（Ｓ２２）、当該ログファイル３１Ａにおける同一の都道府県名における全員の歌唱点を加算した総合点より比較値としての平均値を演算する（Ｓ２３）。
【００３４】
また、ランキング演算手段２７では、団体別ＤＢ３１のランキングファイル３１Ｂ中における対応の都道府県名の平均点および参加人数を更新すると共に、受信した採点結果が最高点を超えていれば当該最高点を更新する（Ｓ２４）。さらに、各都道府県の平均点を比較し、ランキングファイル３１Ｂにおける順位に変動があれば、これを更新する（Ｓ２５）。
【００３５】
そこで、表示ファイル作成手段２８において、ランキングファイル３１Ｂに基づいて、上位より１０位までのリストを作成し、その時に当該利用者の都道府県の順位が１０位を超えている場合には欄外に当該都道府県名の順位を含めたランキング表示ファイルを作成する（Ｓ２６）。一例を示せば、当該利用者（登録者）の属する団体（例えば宮城県）が上位１０位までにあれば、図６（Ｂ）に示すように、例えば当該順位の行に網掛け等の表示を施した表示ファイルを作成し、当該利用者（登録者）の属する団体（例えば長野県）が上位１０位を超えている場合には、図６（Ｃ）に示すように、例えば欄外に当該都道府県名の順位の行を付加した表示ファイルを作成するものである。
【００３６】
そして、表示ファイル作成手段２８で作成された上記のようなランキング表示ファイルが対応の通信カラオケ端末１４に送信されるもので（Ｓ２７）、当該ランキング表示ファイルが上述のように通信カラオケ端末１４の表示手段４７ないし遠隔入出力装置１５が付帯するＬＣＤ上で表示されるものである。
【００３７】
次に、図８に、通信カラオケ管理システムにおける端末からのランキング閲覧要求に対する処理フローチャートを示す。ここでは、所定の通信カラオケ端末１４からのランキング閲覧要求の処理については省略する。図８において、まず、所定の端末１６またはモバイル端末１７よりランキングファイルの閲覧供給を受信すると（Ｓ３１）、当該端末に対して認証手段２４が登録者ＩＤおよびパスワードを要求するファイルを作成して通信手段２３より送信させる（Ｓ３２）。そこで、当該端末より登録者ＩＤ、パスワードを受信したときに、当該認証手段２４が登録者ＤＢ３０を参照して照合を行う（Ｓ３３）。
【００３８】
照合の結果（Ｓ３４）、不一致の場合には、再度登録者ＩＤ、パスワードを要求するファイルを当該端末に送信することを所定回数（例えば５回）繰り返し（Ｓ３２〜Ｓ３５）、それでも不一致の場合にはアクセス不能のファイルを作成して当該端末に送信して終了する（Ｓ３６）。
【００３９】
一方、照合の結果（Ｓ３４）、一致した場合には、登録者ＩＤに対応した団体（都道府県名）が特定され、表示ファイル作成手段２８が団体別ＤＢ３１よりランキングファイル３１Ｂを抽出し、ランキング表示ファイルを作成する（Ｓ３７）。その時、上述のように、当該登録者の属する団体が上位１０位までにあれば、当該順位の行に網掛け等の表示を施した表示ファイルを作成し（図６（Ｂ）参照）、当該登録者の属する団体が上位１０位を超えている場合には、欄外に当該都道府県名の順位の行を付加した表示ファイルを作成するものである（図６（Ｃ）参照）。
【００４０】
そこで、要求した端末がモバイル端末（携帯電話）１７か否かを特定し（Ｓ３８）、モバイル端末１７であれば作成したランキング表示ファイルに基づいて当該モバイル端末１７対応のデータ量に削減したモバイル用ランキング表示ファイルを作成する（Ｓ３９）。そして、要求端末がモバイル端末でない場合のランキング表示ファイルまたはモバイル用ランキング表示ファイルを当該要求の端末に送信するものである（Ｓ４０）。
【００４１】
このように、全国的規模または任意集合体毎における団体別毎の歌唱力のランキングを簡易に比較、評価することができ、利用者に対して新たなサービスを提供することができるものであり、通信カラオケ端末１４の利用者に対して歌唱による新たな楽しみ方を提案することができるものである。
【００４２】
ところで、上記実施形態では団体別にランキングする際、参加利用者の人数や同一利用者の参加回数を無制限としたが、適宜制限を付してもよい。また、各団体別に順位に応じて金額還元できるポイントを各団体毎に付与し、各団体毎に人数割りで利用者のＩＣカード６１にポイントを付与することとしてもよく、さらに利用喚起を増大させることできるものである。
【産業上の利用可能性】
【００４３】
本発明の通信カラオケ管理システムは、歌唱採点手段を備える所定数の通信カラオケ端末を、登録利用者の情報と共に通信ネットワークを介して管理するシステムに適する。
【図面の簡単な説明】
【００４４】
【図１】本発明に係る通信カラオケ管理サーバのネットワーク接続状況の模式図である。
【図２】本発明に係る通信カラオケ管理サーバのブロック構成図である。
【図３】図２の登録者ＤＢおよび団体別ＤＢに記憶されるデータ内容の一例を示した説明図である。
【図４】図１の通信カラオケ端末のブロック構成図である。
【図５】図４の通信カラオケ端末における処理フローチャートである。
【図６】通信カラオケ端末上での表示形態の一例の説明図である。
【図７】図２の通信カラオケ管理システムにおける処理フローチャートである。
【図８】通信カラオケ管理システムにおける端末からのランキング閲覧要求に対する処理フローチャートである。
【符号の説明】
【００４５】
１１            通信カラオケ管理サーバ
１２            通信ネットワーク
１３            ネット接続中継サーバ
１４            通信カラオケ端末
１５            遠隔入出力装置
１６            端末
１７            モバイル端末
２８            ランキング演算手段
３０            登録者ＤＢ
３１            団体別ＤＢ
【図１】
2006011235.tif 000003
【図２】
2006011235.tif 000004
【図３】
2006011235.tif 000005
【図４】
2006011235.tif 000006
【図５】
2006011235.tif 000007
【図６】
2006011235.tif 000008
【図７】
2006011235.tif 000009
【図８】
2006011235.tif 000010